(57)【要約】本発明は側壁と基部とを有する持ち帰り用バッグの中へ挿入するインサート（１）であって、該インサート（１）は持ち帰り用バッグに対して概ね固定された位置を保つように、使用時、前記持ち帰り用バッグの側壁および基部と当接するようにされた容器スタンド部分（３）であって、基部分と、該基部分に接続されていて、基部と、頂端と、中間の本体部分を有する少なくとも１個の容器を受け入れ、かつ保持する上方の容器受け入れ部分（６）と、少なくとも２個の対向する支持部材（７，８）であって、各支持部材が前記基部分の対向する側部の一つを前記上方の容器受け入れ部分（６）のそれぞれの対向する側部に接続し、少なくとも１個の容器が前記容器スタンド部分（３）に対して概ね動くことができず、かつ前記少なくとも１個の容器の少なくとも一部が前記容器スタンド部分の上方へ延在するように前記上方の容器受け入れ部分（６）を前記基部分から離して、かつその上方に保持するように配置されている支持部材（７，８）を有する容器スタンド部分（３）を含むインサート（１）を提供する。前記インサートは更に、その上に食品が載置しうる食品支持部分（１８）と少なくとも１個の脚部分とを有する食品支持スタンド部分（４）を含むことができ、前記食品支持スタンド部分（４）は、使用時、容器スタンド部分の上方を延在する少なくとも１個の容器の少なくとも一部を越えて延在することによって前記容器スタンド部分（３）の上に立つように配置されており、かつ前記バッグが運ばれるとき食品を支持するように該食品と、少なくとも１個の容器の頂部との間で障壁を形成するように配置されている。インサート（１）は液体を入れた１個以上の容器および（または）食品を運ぶために使用することができ、それによって容器は前記バッグに対して概ね直立した位置に保持され、そして食品は容器から離されて保持される。
2008529913.tif 000002
【特許請求の範囲】
【請求項１】
側壁と基部とを有する持ち帰り用バッグの中へ挿入するインサートであって、前記の持ち帰り用バッグに対して概ね固定された位置を保持するために、使用時、該バッグの側壁と基部とに対して当接するようにされた容器スタンド部分であって、
（ａ）基部分と、
（ｂ）前記基部分に接続され、基部と、頂端と、中間の本体部とを有する少なくとも１個の容器を受け入れ、かつ保持する上方の容器受け入れ部分と、
（ｃ）少なくとも２個の対向する支持部材であって、各支持部材が前記基部分の対向する側部の一つを前記上方の容器受け入れ部分のそれぞれ対向する側部に接続し、少なくとも１個の容器がスタンド部分に対して概ね動くことができないように前記容器が前記上方の容器受け入れ部分中へ挿入することができ、前記の少なくとも１個の容器の少なくとも一部が前記スタンド部分の上方へ延在するように前記の上方の容器受け入れ部分を前記基部分から離隔して、かつその上方に保持するように配置されている支持部材を有している容器スタンド部分を含むことを特徴とする持ち帰り用バッグ中へ挿入するインサート。
【請求項２】
前記インサートが折り畳み可能な組立て形態であることを特徴とする請求項１に記載のインサート。
【請求項３】
前記インサートが持ち帰り用バッグの内側壁に対して固定可能であることを特徴とする請求項１または２に記載のインサート。
【請求項４】
上方の容器受け入れ部分が前記容器を掴持するようにされた少なくとも１個の容器係合開口を含むことを特徴とする請求項１から３までのいずれか１項に記載のインサート。
【請求項５】
前記インサートが更に、その上に食品を載置することができる食品支持部分と少なくとも１個の脚部分を有する食品支持スタンド部分を含み、前記食品支持スタンド部分は、使用時、該スタンド部分の上方を延在する少なくとも１個の容器の少なくとも一部を越えて延在することによって前記容器スタンド部分の上に立つように配置されており、前記食品支持部分は前記バッグが運ばれるとき、食品を支持するために該食品と少なくとも１個の容器の頂部との間に障壁を形成するように配置されていることを特徴とする請求項１から４までのいずれか１項に記載のインサート。
【請求項６】
前記食品支持スタンド部分が、使用時、複数の脚部分によって前記容器スタンド部分の上に立つように配置されていることを特徴とする請求項５に記載のインサート。
【請求項７】
前記食品支持スタンド部分が更に基部分を含むことを特徴とする請求項５または６に記載のインサート。
【請求項８】
前記基部分が前記容器スタンド部分に保持された少なくとも１個の容器の頂端を受け入れるようにされていることを特徴とする請求項７に記載のインサート。
【請求項９】
前記食品支持スタンド部分の基部分が前記容器スタンド部分に保持された少なくとも１個の容器の頂端を受け入れるようにされている少なくとも１個の容器受け入れ開口を含むことを特徴とする請求項８に記載のインサート。
【請求項１０】
前記インサートが、
（ｉ）持ち帰り用バッグに対して概ね固定された位置を保つように前記の持ち帰り用バッグの側壁と基部とに対して当接するようにされた容器スタンド部分であって、
（ａ）基部分と、
（ｂ）前記基部分に接続され、基部と、頂端と、中間本体部分とを有する容器を前記中間本体部分におけるある位置において掴持するように画成され、かつ配置された上方の容器受け入れ部分と、
（ｃ）少なくとも２個の対向する支持部材であって、各支持部材が前記基部分の対向する側部の一つを前記の上方の容器受け入れ部分のそれぞれの対向する側部に接続し、前記支持部材は、使用時、前記容器が前記の少なくとも１個の容器受け入れ開口中へ挿入され、従って持ち帰り用バッグに対して概ね直立した位置に保つことができるように前記上方の容器受け入れ部分を前記基部分から離して、かつその上方に保持するように配置されている支持部材を有する、
容器スタンド部分と、
（ｉｉ）使用時、前記容器スタンド部分の上方に来るように配置された食品支持スタンド部分であって、
（ａ）基部分と、
（ｂ）前記基部分に接続され、その上に食品を載置しうる上面を備えた食品支持部分と、
（ｃ）少なくとも２個の対向する支持部材であって、各支持部材が前記基部分の対向する側部の一つを前記の食品支持部分のそれぞれの対向する側部に接続し、前記支持部材は、使用時、前記食品支持部分を前記基部分から離して、かつその上方で保持するように配置されている支持部材を有する食品支持スタンド部分であって、前記基部分が容器の頂端を前記基部と食品支持部分との間の空間中へ挿入しうるように配置された少なくとも１個の容器受け入れ開口を有し、
そのため、使用時、食品が持ち帰り用バッグの内部で前記容器から離されて保持されうるようにする食品支持スタンド部分を
有することを特徴とする請求項５から９までのいずれか１項に記載のインサート。
【請求項１１】
前記容器スタンド部分と食品支持スタンド部分とが接続されていることを特徴とする請求項１０に記載のインサート。
【請求項１２】
前記容器スタンド部分と食品支持スタンド部分とが前記支持部材の一つによって接続されていることを特徴とする請求項１１に記載のインサート。
【請求項１３】
前記食品支持スタンド部分が持ち帰り用バッグに対して概ね固定された位置を保つために前記持ち帰り用バッグの側壁に対して当接するようにされていることを特徴とする請求項５から１２までのいずれか１項に記載のインサート。
【請求項１４】
前記インサートが折り畳み可能な組立て形態であることを特徴とする請求項５から１３までのいずれか１項に記載のインサート。
【請求項１５】
前記インサートが前記の持ち帰り用バッグ内でそれ自体が緊張することによってその組み立てられた形態を保つようにされていることを特徴とする請求項１４に記載のインサート。
【請求項１６】
前記持ち帰り用バッグが長方形であり、前記インサートがそれに適合するような形状とされていることを特徴とする請求項１から１５までのいずれか１項に記載のインサート。
【請求項１７】
前記インサートが段ボール、プラスチックあるいは成形された繊維から構成される群から選択された材料からなることを特徴とする請求項１から１６までのいずれか１項に記載のインサート。
【請求項１８】
前記食品支持部分の上面が断熱材の層からなることを特徴とする請求項５から１７までのいずれか１項に記載のインサート。
【請求項１９】
前記断熱材料がアルミニュームフォイルあるいはポリスチレンからなることを特徴とする請求項１８に記載のインサート。
【請求項２０】
前記少なくとも１個の容器係合開口が容器を掴持するようにされた複数のスロットからなることを特徴とする請求項４から１９までのいずれか１項に記載のインサート。
【請求項２１】
複数の側壁と基部とを有する持ち帰り用バッグと、請求項１から２０までのいずれか１項に記載のインサートとからなる組立体。
【請求項２２】
前記インサートが前記バッグの内側壁に固定されることを特徴とする請求項２１に記載の組立体。
【請求項２３】
前記バッグが折り畳み可能な紙バッグからなることを特徴とする請求項２１または２２に記載の組立体。
【発明の詳細な説明】
【技術分野】
【０００１】
本発明は、持ち帰り用バッグ（キャリヤバッグ）の中へ挿入するインサート、特に液体および（または）食品を入れた一個以上の容器を持ち帰り用バッグで安全に運ぶことができるようにするインサートに関するものである。
【背景技術】
【０００２】
近年、健康および安全性の観点から、持ち帰り食品や飲料製品の供給者は消費者が持ち帰り食品や飲料を運ぶための安全な方法を提供することに関心を向ける必要性を見出してきている。消費者には、温かいか、あるいは冷たい持ち帰り飲料および（または）食品を運ぶための、通常は紙袋であるバッグが提供されることが多い。そのような食品としては、例えばサンドイッチ、バゲット、フライ物、あるいはサラダを含みうる。例えばティー、コーヒ、あるいはスープのような温かいもの、あるいはソフトドリンクのような冷たいものでありうる持ち帰り飲料は通常紙あるいはボール紙カップである使い捨て容器で供給されることが多い。一般に、前記容器は食品と共に持ち帰り用バッグの底に置かれる。容器は持ち帰り用バッグ内で動いたり、傾いたりして、場合によっては食品の上にこぼれたりするようになることが多く、時には食品を台無しにすることすらある。これが望ましくないことは明らかである。
【０００３】
持ち帰り飲料を運ぶためのそのような方法は、こぼれると消費者に対して、例えば火傷のような危害を加える可能性のある高温の飲料の場合は特に望ましくない。従って、持ち帰り飲料の供給者の側においては、飲料、特に高温の飲料を運ぶための安全で費用効果的な方法を提供することが極めて望ましい。そのような方法は持ち帰り飲料および（または）食品を運ぶことの結果発生しうる健康上および安全上のどのような可能性のある問題も最小にするものであろう。
【０００４】
米国特許第５，８０６，９８１号は、カップを受け入れるための少なくとも１個の開口を含む分離要素と、使用時、分離プレートに対して垂直となる横方向のフラップとを有する折り畳みタイプの持ち帰り用バッグを記載している。したがって、カップは分離プレートに固定することができ、食品は横方向フラップの他の側に位置させることができる。
【０００５】
米国特許第４，７０８，２４８号は折り畳み可能な食品および飲料用容器を記載している。前記特許は特に、持ち帰り用バッグ内に内部配置しうる飲料および食品の支持手段を記載している。前記の構造は飲料用カップを受け入れるようにされた第一の支持手段と第二の手段とを含む。このように、各支持手段が前記バッグの内壁に接着剤で接着される舌状体によって保持される、二部分からなる構造が記載されている。第一の支持手段は，前記バッグの側壁に接着剤あるいはその他の方法で固定されたリップ部分と、使用時、前記第一の支持手段のための支持を提供するために前記バッグの基部に向って９０度下方に折り畳まれる支持フラップとを含む。第二の支持手段は第一の支持手段に固定されたカップの頂部に載置することができる支持シートを含む。第一の支持手段はその中に固定された容器の重量が加えられると崩れることがある。更に、記載されている装置はカップと第二の支持手段に載置されている食品との間の良好な断熱性を提供しない。
【発明の開示】
【発明が解決しようとする課題】
【０００６】
このように、容器をその中でしっかりと保持することが可能で、かつ、使用時、概ね剛直である持ち帰り用バッグのための改良されたインサートが必要とされている。
【０００７】
従って、本発明の目的は持ち帰り用バッグの中へ挿入され、飲料用容器を該バッグに対して概ね直立した位置で安全に運ぶことができるようにする改良されたインサートを提供することである。
【０００８】
本発明の別の目的は、持ち帰り用バッグの中へ挿入され、インサートに保持されている液体を入れた容器から食品を断熱することができる改良されたインサートを提供することである。
【課題を解決するための手段】
【０００９】
従って、本発明は側壁と基部とを有する持ち帰り用バッグの中へ挿入するインサートであって、該インサートが、
持ち帰り用バッグに対して概ね固定された位置を保つために、使用時、該バッグの側壁と基部とに当接するようにされた容器スタンド部分であって、
（ａ）基部分と、
（ｂ）前記基部分に接続され、基部、頂端、および中間の本体部分を有する少なくとも１個の容器を受け入れ、かつ保持する上方の容器受け入れ部分と、
（ｃ）少なくとも２個の対向する支持部材であって、各支持部材が前記基部分の対向する側部の一つを前記上方の容器受け入れ部分のそれぞれの対向する側部と接続し、前記支持部材が、少なくとも１個の容器が容器スタンド部分に対して概ね動くことができないように、かつ前記の少なくとも１個の容器の少なくとも一部が前記容器スタンド部分の上方へ延在するように、前記容器が前記上方の容器受け入れ部分の中へ挿入することができるように、前記上方の容器受け入れ部分を前記基部分から離隔して、かつその上方で保持するように、使用時、配置される支持部材を有する
容器スタンド部分を含むインサートを提供する。
【００１０】
前記インサートは折り畳み可能な組立て形態であることが適当である。本発明によるインサートは持ち帰り用バッグの内側壁に固定可能である。
【００１１】
前記インサートは更に、食品をその上に載置することができる食品支持部分と少なくとも１個の脚部分を有する食品支持スタンド部分であって、使用時、容器スタンド部分の上方を延在する少なくとも１個の容器の少なくとも一部を越えて延在することによって容器スタンド部分の上に立つように配置され、前記支持部分が、前記バッグが持ち運ばれるとき食品を支持するように、前記商品と少なくとも１個の容器の頂部との間で障壁を形成するように配置されている食品支持スタンド部分を含むことが適当である。
【００１２】
本発明によるインサートは、例えば飲料を入れたカップのような容器が持ち帰り用バッグに対して直立した位置で該バッグにより安全に運ぶことができるようにする。従って、飲料がこぼれて使用者に危害を加える危険性は最小となる。更に、好ましくは、例えばサンドイッチ、バゲット、包み物、フライ物、ビーフバーガ、サラダを含む食品のような非液状の食品である、持ち帰り食品はインサートによって容器スタンド部分に保持された少なくとも１個の容器と接触することなく支持することができる。更に、食品支持部分の所望する位置を容器から干渉されることなく達成することができる。
【００１３】
食品支持部分は、使用時、容器スタンド部分に対して平行となるように配置されることが適当である。食品支持スタンド部分は、使用時、容器スタンド部分に保持された少なくとも１個の容器の少なくとも一部から干渉されることなく容器スタンド部分の上に立つように配置することができる。このことは、食品支持部分が、使用時、それが少なくとも１個の容器の頂部の上に載置されないように配置しうることを意味する。食品支持部分は、バッグにおいて例えば食品のような品物を支持する概ね平坦な面を提供することが望ましい。
【００１４】
食品支持スタンド部分は、使用時、複数の脚部分によって容器スタンド部分の上に立つように配置しうる。前記脚部分は容器スタンド部分の対向する少なくとも二つの側部で容器スタンド部分に立つように食品支持スタンド部分から延在している。前記脚部分は、食品支持スタンド部分が、使用時、テーブルのような要領で容器スタンド部分の上方で保持されるように容器スタンド部分に対して概ね垂直で、かつその上に載置されるようにしうる。複数の脚が設けられた場合に更に安定性を増すために、前記脚は脚接続部分によって接続すればよい。
【００１５】
望ましい一配置においては、食品支持スタンド部分は基部分を含む。望ましくは前記脚接続部分は前記基部分の少なくとも一部によって形成すればよい。前記脚接続部分はバッグの横方向内部空間全体に概ね亘って延在するようにされた連続した部材であることが好ましい。前記基部分は容器スタンド部分に保持された少なくとも１個の容器の頂端を受け入れるようにしうる。
【００１６】
食品支持スタンド部分の基部分は容器スタンド部分に保持された少なくとも１個の容器の頂端を受け入れるようにされた少なくとも１個の容器受け入れ開口を含むことが適当である。食品支持スタンド部分は容器が食品支持スタンド部分に対して概ね動くことができないように容器スタンド部分に保持された少なくとも１個の容器の頂部を受け入れる。従って、容器はバッグに対して概ね直立した位置に保持される。
【００１７】
食品支持部分、基部分および脚部分は連続した本体部を形成することが適当である。前記の連続した本体部は長方形であることが好ましい。
【００１８】
本発明によるインサートは長方形本体部からなることが好ましい。連続した本体部の材料は必要とされる形態をとることができる適当なパネルを提供することによって容器スタンド部分および食品支持スタンド部分を形成するようにされている。
【００１９】
本発明によるインサートは複数の折り曲げ線を備えた概ね平坦な部材からなることが適当である。前記インサートは容器スタンド部分および食品支持スタンド部分を形成するためには折り曲げ線に沿って折り曲げればよい。
【００２０】
容器スタンド部分および食品支持スタンド部分はインサートを折り曲げ線に沿って折り曲げることによって形成される長方形本体部からなることが好ましい。
【００２１】
本発明によるインサートは折り畳み可能な組立て形態であることが適当であり、更に組み立てられると持ち帰り用バッグ内でそれ自体緊張することによって組み立てられた形態を保つようにされていることが更に望ましい。このように、インサートは折り畳み可能な持ち運び用バッグ中へ挿入することが可能であるが、これも折り畳み可能であるため、従ってバッグとインサートとを都合よく平たくして格納することができる。バッグの内部で組み立てられたインサートは顕著に剛性の自立ユニットを形成し、持ち帰り用バッグの壁に対する支持を提供する。本発明によるインサートはその中に保持された少なくとも１個の容器および（または）食品の重量を支えるようにされており、少なくとも１個の容器あるいは食品の重量がかかっても崩れることはない。
【００２２】
持ち帰り用バッグは長方形であることが適当で、インサートはそれに適合するような形状とされる。当該技術分野の専門家には、本発明によるインサートは色々な形状の持ち帰り用バッグに適合するような形状としうることが認められる。
【００２３】
持ち帰り用バッグは紙バッグからなることが適当である。当該技術分野の専門家には、本発明によるインサートは他のタイプのバッグに対しても使用しうることが認められる。更に、インサートのサイズは該インサートがその内部に位置させようとする持ち帰り用バッグのサイズに応じて選択しうる。
【００２４】
インサートは、例えば段ボール、プラスチック材料、あるいは成形した繊維材料のような材料からなることが適当である。前記材料は、前記インサートが少なくとも１個の容器および（または）食品をそれらが潰されることなく支持しうるように該インサートに対して剛性を提供する。
【００２５】
当該技術分野の専門家には、前記インサートの寸法は該インサートが、例えば大中小の飲料用カップあるいは容器を受け入れるのに適したサイズとなるように適合させうることが認められる。
【００２６】
本発明の一実施例において、側壁と基部とを有する持ち帰り用バッグの中に挿入するインサートであって、該インサートが、
（ｉ）使用時、持ち帰り用バッグに対して概ね固定位置を保つために該持ち帰り用バッグの側壁および基部と当接するようにされた容器スタンド部分であって、
（ａ）基部分と、
（ｂ）前記基部分に接続され、その中に少なくとも１個の容器と係合する開口を画成しており、基部と、頂部と、中間の本体部分とを有する容器を該中間本体部分におけるある位置において掴持するように配置された上方の容器受け入れ部分と、
（ｃ）少なくとも２個の対向する支持部材であって、各支持部材が前記の上方の容器受け入れ部分の対向する側部のそれぞれに前記基部分の対向する側の一つを接続する支持部材であり、使用時、前記容器が前記の少なくとも１個の容器受け入れ開口中へ挿入することができ、したがって持ち帰り用バッグに対して概ね直立した状態に保たれるように前記上方の容器受け入れ部分を前記基部分から離して、かつその上方に保持するように配置されている支持部材を含む
容器スタンド部分と、
（ｉｉ）使用時、前記の容器スタンド部分の上方に来るように配置されている食品支持スタンド部分であって、
（ａ）基部分と、
（ｂ）前記基部分に接続され、食品をその上に載置できる上面を備えた食品支持部分と、
（ｃ）少なくとも２個の対向する支持部材であって、各支持部材が前記基部分の対向する側部の一つを前記食品支持部分の対向するそれぞれの側部と接続し、使用時、前記食品支持部分を前記基部分から離して、かつその上方で保持するように配置された支持部材であり、前記基部分が前記基部と食品支持部分との間の空間に前記容器の頂端を挿入しうるように配置されている少なくとも１個の容器受け入れ開口を画成している支持部材とを含む、
食品支持スタンド部分を有し、そのため、使用時、食品が持ち帰り用バッグ内において前記容器から分離して保持されうるようなインサートが提供される。
【００２７】
前記食品支持スタンド部分の支持部材が脚部分を含みうることが適当である。
【００２８】
前記インサートの前記容器スタンド部分と食品支持スタンド部分とは接続されていることが好ましい。前記インサートの容器スタンド部分と食品支持スタンド部分とは前記支持部材の一つによって接続されることが適当である。
【００２９】
前記食品支持スタンド部分は、使用時、持ち帰り用バッグに対して概ね固定した位置を保つように該バッグの側壁と当接するように配置されていることが好ましい。そのような配置によって前記バッグに更なる剛性を提供する。
【００３０】
食品支持スタンド部分は、その基部において、前記基部と前記食品支持スタンド部分との間の空間に容器の頂端を挿入できるように配置された少なくとも１個の容器受け入れ開口を有することが好ましい。このことによって、例えば高さの異なる蓋とか、あるいは傾いた蓋を有する飲料カップのような容器を受け入れできるようにする。更に、容器の頂端は食品支持スタンド部分の食品支持部分から離隔されているのが適当である。このようにすることによって容器中の熱い飲料からの蒸気が循環できるようにする。更に、食品支持部分の上面に位置された食品は容器と直接接触しないようにされる。
【００３１】
前記食品支持部分の上面は更に、容器支持部分に保持された少なくとも１個の容器内に入れられている飲料によって起きうる湿度および（または）温度変動から食品支持部分上に載置されている食品を遮断するようにされた材料の層を含むことが適当である。前記材料の層は断熱性の材料からなることが適当である。断熱性材料はアルミニュームフォイルあるいはポリスチレンから構成しうる。
【００３２】
断熱材料の存在は食品支持部分の上面に載置されている商品、特に食品が容器スタンド部分に保持された飲料の温度によって影響されないことを意味する。特に、食品はインサートに保持されている例えば高温の飲料、あるいは冷たい飲料からの熱あるいは蒸気によって影響されない。このように、容器支持スタンド部分と食品支持スタンド部分の食品支持部分の上面に支持された食品との間に断熱壁が形成される。
【００３３】
容器スタンド部分の上方の容器受け入れ部分の少なくとも１個の容器係合開口は容器を掴持するようにされた複数のスロットを含むことが適当である。容器係合開口は容器の中間体部分のある位置において容器を掴持するようにしうる。前記スロットは容器が挿入されると該容器を掴持するように変形する口の周りで変形可能な掴持手段を有するように形成された掴持用の口を構成することが適当である。異なる直径を有する容器がその中で固定されうるように容器係合開口の周囲は拡張しうることが望ましい。容器は該容器を捩じり、そして持ち上げることによって容器係合開口から取り外しうることが適当である。
【００３４】
当該技術分野の専門家には、容器の基部が容器スタンド部分の基部分から離隔して位置されるように容器はスロットにおいて掴持すればよいことが認められる。
【００３５】
本発明によるインサートは、使用時、少なくとも１個の容器がその中で固定でき、次いで食品支持スタンド部分が容器スタンド部分の上で立つように下ろすことができるように容器スタンド部分が持ち帰り用バッグ内の適所に下ろされるようにされることが適当である。少なくとも１個の容器の頂部は食品支持スタンド部分に納めることができる。
【００３６】
別の実施例において、本発明は複数の側壁と基部とを有する持ち帰り用バッグと、インサートとを含む組立体であって、前記インサートが、
（ｉ）持ち帰り用バッグに対して概ね固定された位置を保つために該持ち帰り用バッグの側壁と基部とに当接するようにされた容器スタンド部分であって、
（ａ）基部分と、
（ｂ）前記基部分に接続され、その中に画成され、基部と、頂端と中間本体部とを有する容器を該中間本体部におけるある位置で掴持するように配置された少なくとも１個の容器係合開口を有する上方の容器受け入れ部分と、
（ｃ）少なくとも２個の対向する支持部材であって、各支持部材が前記基部分の対向する側部の一つを前記上方の容器受け入れ部分の対向する側部のそれぞれと接続し、使用時、前記容器が前記の少なくとも１個の容器受け取り開口中へ挿入され、従って持ち運び用バッグに対して概ね直立した状態で保持されうるように前記基部分から離されて、かつその上方で上側の容器受け取り部分を保持するように配置されている支持部材を有する
容器スタンド部分と、
（ｉｉ）使用時、前記容器スタンド部分の上方に来るように配置されている食品支持スタンドであって、
（ａ）基部分と、
（ｂ）前記基部分に接続され、その上に食品を載置しうる上面を有する食品支持部分と、
（ｃ）少なくとも２個の対向する支持部材であって、各支持部材が前記基部分の対向する側部の一つを前記食品支持部分の対向する側部のそれぞれと接続し、使用時、前記基部分から離して、かつその上方で商品支持部分を保持するように配置されており、前記基部分が前記基部と食品支持部分との間の空間中へ容器の頂端を挿入できるように配置されている少なくとも１個の容器受け入れ開口を画成している支持部材とを有する
食品支持スタンド部分を有し、
そのため、使用時、食品が持ち帰り用バッグ内で容器から離されて保持されうる、持ち帰り用バッグとインサートとの組立体を提供する。
【００３７】
前記バッグは折り畳み可能な紙バッグからなることが好ましい。
【００３８】
本発明によるインサートは前記バッグの内側壁に固定可能であることが適当である。
【００３９】
インサートは支持部材によってバッグの内側壁に固定可能であることが好ましい。更に、インサートは食品支持スタンド部分と容器スタンド部分とを接続する支持部材よってバッグの内側壁に固定可能であることが好ましい。前記支持部材にはそれがバッグの内側壁に対して接着されうるように接着剤が具備されることが適当である。
【００４０】
添付図面を参照して本発明を単なる例示として以下詳細に説明する。
【００４１】
図２Ａから図４Ｄまでに示す本発明の実施例は、容器スタンド部分と食品支持スタンド部分を有する実施例である。図面を参照して本実施例を以下詳細に説明する。しかしながら、当該技術分野の専門家には各部分は本発明の個々の局面を形成しており、独立して使用できることが認められる。図２Ａから図４Ｄまでに示す実施例は本発明によるインサートの前記双方の部分の利点を組み合わせて有している実施例である。
【００４２】
図２Ａを参照すれば、本発明によるインサートは未折り畳みで、未組立ての形態で平面図において全体的に１で示されている。図示実施例において、前記インサートは一片の段ボールの形態のブランクからなる。インサート１の各部分を画成する折り曲げ線２がインサート１の上に指示されている。折り曲げ線は例えば打ち抜きのようはいずれかの適当な方法によって提供することができる。図２Ｂおよび図２Ｃに示されているように、インサート１は箱状の構造体を形成すべく組み立てるように折り曲げ線２の周りで折り曲げられる。これが使用時の組み立てられた形態である。前記の箱状の構造体は剛性の自立ユニットを形成する。
【００４３】
図２Ａ、図２Ｂおよび図２Ｃに示すように、インサート１は、容器スタンド部分３および食品支持スタンド部分４を含む複数の部分からなる。図示実施例においては、容器スタンド部分３と食品支持スタンド部分４とは長方形である。容器スタンド部分３は基部分５と上方の容器受け取り部分６とを含む。容器スタンド部分３の基部分５は、使用時の組み立てられた形態にあるとき、対向する支持部材７，８によって前記上方の容器受け取り部分６から離隔されている。支持部材７は基部分５の対向する側部９，９ａを前記上方の容器受け取り部分６のそれぞれの対向する側部１０，１０ａと接続する。
【００４４】
容器受け取り部分６にはタブ１１が設けられている。前記タブ１１は支持部材８の対向する側部１２，１２ａの中間の位置において上方の容器受け取り部分６を支持部材８に接続する。図２Ａを参照すれば、点線は前記タブ１１，１１ａの寸法を増やしうることを指示している。
【００４５】
図２Ｂおよび図２Ｃに示すように、支持部材７，８は、使用時、空洞１３を画成するように前記上方の容器受け取り部分６を基部分５から、かつ上方に離隔した状態に保つように配置されている。図示実施例において、前記上方の容器受け取り部分６には容器１５を掴持するように配置されている２個の容器係合開口１４が設けられている。容器係合開口１４は円形の開口からなり、その周囲には複数のスロット１６が設けられている。前記スロット６は容器１６と該容器の端部の中間の位置において係合する。
【００４６】
図２Ａ，図２Ｂおよび図２Ｃを参照すれば、食品支持スタンド部分４は基部分１７と、その上に食品を載置しうる上面１９を有する食品支持部分１８とを含む。食品支持スタンド部分は更に支持部材２０を含む。前記支持部材２０は食品支持部分１８の対向する側部２１，２１ａを基部分１７の対向する側部２２，２２ａに接続する。このように、使用時、食品支持部分１８は組み立てられた形態において空洞２３を画成するように支持部材２０によって基部分１７から離隔される。基部分１７にはタブ１１ａが設けられており、該タブは使用時の組み立てられた形態においてはその対向する側部１２，１２ａの中間の位置において支持部材８に取り付けられる。このようにして、箱状の構造体が形成される。
【００４７】
図２Ａを参照すれば、図示実施例において、食品支持スタンド部分４の基部分１７は２個の容器受け入れ開口２４を画成している。各容器受け入れ開口２４は容器が容器スタンド部分３と係合すると容器の頂端を受け入れるような形状とされている。
【００４８】
図３から図４Ｄまでを参照すれば、インサート１は、使用時、支持部材８によって持ち帰り用バッグ２６の側壁２５に接着される。前記バッグ２６は消費者によって通常使用されている標準的な折り畳み可能な紙製の持ち帰り用バッグからなり、側壁２５，２５ａ，２５ｂ，２５ｃおよび基部２７を有している。図示実施例においては、前記支持部材８を持ち帰り用バッグ２６の内側壁２５に固定するために接着剤が使用されている。
【００４９】
インサート１は使用されていないとき、図３Ａおよび４Ａに示されているように、バッグ２６の内側壁２５に対して平坦して仕舞うことができる。このような特徴によって、中にインサートが固定されている（折り畳み可能な紙製の）持ち帰り用バッグは平たくして仕舞うことができるようにし、収納を便利にしうる。図３Ａから図４Ｄまでを参照すれば、使用時、飲料および（または）食品の販売者はバッグ２６を開けて、容器スタンド部分３を伸ばし、それをバッグ２６の基部２７に向って下ろす。広げられた位置において、容器スタンド部分３の基部分５はバッグ２６の基部２７および側壁２５，２５ａ，２５ｂおよび２５ｃと当接する。販売者は次いで、例えば飲料を入れたカップのような、基部と、頂端と、中間の本体部とを有する容器を上方の容器受け入れ部分６の容器係合開口１４中へ位置させる。容器１５はその端部の中間の位置において、複数のスロット１６によって掴持され、バッグ２６に対して概ね直立した位置に保持される。
【００５０】
図３Ｂ，図３Ｃおよび図４Ｄを参照すれば、食品支持スタンド部分４は次いで、容器１５の上方まで延在するように下ろされる。図４Ｃおよび図４Ｄを参照すれば、図示実施例においては、基部分１７には容器スタンド部分３に掴持された容器の頂端を受け入れるための２個の容器受け入れ開口２４が設けられている。容器１５の頂端は、基部分１７から離隔され、その上方にある食品支持部分１８によって画成された空洞２３内に受け入れられる。そのため容器はインサート１の食品支持スタンド部分４と容器スタンド部分３に固定される。図４Ｄを参照すれば、使用時の組立てられた形態にあるとき、インサート１はバッグ２６の側壁に対して緊張させて、剛性の構造体を形成している。このことによって、持ち帰り用バッグに対して強度と剛性とを付与する。
【００５１】
次いで、食品は食品支持スタンド部分４の食品支持部分１８の上面１９に位置させることができる。前記上面１９は断熱材の層から構成されている。食品支持部分１８が容器１５の頂部と食品支持部分１８の上面１９に位置された食品との間の障壁を形成する。従って、食品は容器から隔絶されて保持することが可能で、飲料の温度によって影響を受けることはない。このことは、例えば、もしも容器が例えば高温の飲料を入れているとすれば、食品が加熱されないようにされることを意味する。
【００５２】
「なる（含む）／なっている（含んでいる）」という用語や、「有する／含んでいる」という用語が本発明に関連して本明細書で使用される場合、述べられた特徴、完全体、段階、あるいは要素の存在を特定するために使用されるものであるが、１個以上のその他の特徴、完全体、段階、要素あるいはそれらの群の存在あるいは追加を排除するものではない。
【００５３】
個別の実施例の関連において明らかに説明されている本発明のある特徴もまた、単一の実施例において組み合わせて提供しうることが認められる。逆に、単一の実施例に関連して簡潔に説明されている本発明の諸々の特徴もまた、個別に、あるいはいずれかの適当な副次的組み合わせにおいて提供しうる。
【図面の簡単な説明】
【００５４】
【図１Ａ】未組立て形態での容器スタンド部分を含むインサートを示す平面図である。
【図１Ｂ】使用時の組み立てられた形態での容器スタンド部分を含むインサートの斜視図である。
【図１Ｃ】２個の容器を保持している使用時の組み立てられた形態での容器スタンド部分を含むインサートを示す斜視図である。
【図１Ｄ】持ち帰り用バッグの側壁に対して平たく折り畳んだ形態での容器スタンド部分を含むインサートを示す斜視図である。
【図１Ｅ】バッグ内の適所へ下ろされた容器スタンド部分を示す、容器スタンド部分を含むインサートを示す斜視図である。
【図１Ｆ】バッグ内の適所へ下ろされ、２個の容器をその中に保持している容器スタンド部分を示す、容器スタンド部分を含むインサートの斜視図である。
【図２Ａ】非組み立て形態での本発明によるインサートを示す平面図である。
【図２Ｂ】使用時の組み立てられた形態での本発明によるインサートを示す斜視図である。
【図２Ｃ】使用時の組み立てられた形態での、かつ、中に容器を保持している、本発明によるインサートを示す斜視図である。
【図３Ａ】バッグの側壁に対して平坦に折り畳まれた形態での本発明によるインサートを示す側面図である。
【図３Ｂ】バッグ内の適所へ下ろされている状態のインサートの容器スタンド部分と食品支持スタンド部分とを示す、本発明によるインサートを示す側面図である。
【図３Ｃ】バッグ内で組立てられた形態での本発明によるインサートを示す側面図である。
【図４Ａ】バッグの側壁に対して平たく折り畳まれた形態での本発明によるインサートを示す斜視図である。
【図４Ｂ】バッグ内の適所へ下ろされた容器スタンド部分を示す、本発明によるインサートを示す斜視図である。
【図４Ｃ】バッグ内の適所へ下ろされ、２個の容器がその中に保持されている容器スタンドを示す、本発明によるインサートを示す斜視図である。
【図４Ｄ】適所へ下ろされ、容器の頂端を受け入れている食品支持スタンド部分を示す、本発明によるインサートの斜視図である。
【図１Ａ】
2008529913.tif 000003
【図１Ｂ】
2008529913.tif 000004
【図１Ｃ】
2008529913.tif 000005
【図１Ｄ】
2008529913.tif 000006
【図１Ｅ】
2008529913.tif 000007
【図１Ｆ】
2008529913.tif 000008
【図２Ａ】
2008529913.tif 000009
【図２Ｂ】
2008529913.tif 000010
【図２Ｃ】
2008529913.tif 000011
【図３Ａ】
2008529913.tif 000012
【図３Ｂ】
2008529913.tif 000013
【図３Ｃ】
2008529913.tif 000014
【図４Ａ】
2008529913.tif 000015
【図４Ｂ】
2008529913.tif 000016
【図４Ｃ】
2008529913.tif 000017
【図４Ｄ】
2008529913.tif 000018
【手続補正書】
【提出日】平成19年4月30日(2007.4.30)
【手続補正１】
【補正対象書類名】明細書
【補正対象項目名】０００４
【補正方法】変更
【補正の内容】
【０００４】
米国特許第４，７０８，２４８号は折り畳み可能な食品および飲料用容器を記載している。前記特許は特に、持ち帰り用バッグ内に内部配置しうる飲料および食品の支持手段を記載している。前記の構造は飲料用カップを受け入れるようにされた第一の支持手段と第二の手段とを含む。このように、各支持手段が前記バッグの内壁に接着剤で接着される舌状体によって保持される、二部分からなる構造が記載されている。第一の支持手段は，前記バッグの側壁に接着剤あるいはその他の方法で固定されたリップ部分と、使用時、前記第一の支持手段のための支持を提供するために前記バッグの基部に向って９０度下方に折り畳まれる支持フラップとを含む。第二の支持手段は第一の支持手段に固定されたカップの頂部に載置することができる支持シートを含む。第一の支持手段はその中に固定された容器の重量が加えられると崩れることがある。更に、記載されている装置はカップと第二の支持手段に載置されている食品との間の良好な断熱性を提供しない。
【手続補正２】
【補正対象書類名】明細書
【補正対象項目名】０００５
【補正方法】変更
【補正の内容】
【０００５】
米国特許第２，９１９，８４４号はカップ包装用のカートン、特に複数のカップを支持するためのカートンを記載している。カートンは、カップがカートン内で密封された後部分的に、あるいは完全に冷凍されている食品に対して特に有用であると述べられている。本特許の開示は特に、多数の、例えばカップのような小さい容器を包装するカートン用のブランクを指向している。前記ブランクは長方形であり、順に、頂部パネル、裏パネル、底パネル、正面パネル、正面フラップ、ラックパネル、およびシールフラップを有している。フラップとパネルとの間の継ぎ目には折り目を付けた折り畳み線が設けられている。ラックパネルは、相互に、かつパネルの縁部から離隔されている開口を有している。底パネル、頂部パネルおよびラックパネルは同一の寸法である。シールフラップはその幅の大部分の上でブランクに亘って延在している全体的にＵ字形の脆弱とした線に沿って正面フラップから分離されている。脆弱な線、すなわち切断線の終端は正面パネルと正面フラップとの間の折り目を付けた折り畳み線にある。切断線の大部分は折り目を付けた折り畳み線に対して平行であり、正面フラップの幅の概ね半分だけ折り目を付けた折り畳み線から間隔をあけて位置している。ラックパネルの縁部に沿った折り畳み線は一連の離隔したスリットを有しており、そのためこれらの折り畳み線は、ブランクが折り畳まれるとき、他の折り畳み線よりも曲げに対する抵抗が小さい。
前記ブランクによって提供されるカートンは、カップが一旦ボックスに位置されるとそれに受け入れられたカップを何らかの横方向あるいは長手方向の移動に抗して確実に支持するようにされている。カートンはカップを頂部および底部において留めるので、中味を保護するカップのカバーはカートンが開けられるまで外すことはできない。カートンを引き裂くとか、あるいはその他の方法で損傷させることなくカートンから個々のカップを取り出すことはできないので、カートンの中身が盗まれにくい。
米国特許第５，８０６，９８１号は、折り畳みタイプの持ち帰り用バッグであって、該バッグの壁の一つの内面に固定され、二つの位置、すなわち第一の位置はプレート要素が前記バッグの壁に対して当接される格納位置であり、第二の位置はプレート要素が壁に対して横方向に、前記バッグの底に対して概ね平行に延在する使用位置である二位置のいずれかを選択的にとることができるプレート要素を有する持ち帰り用バッグを記載している。横方向のフラップが格納位置において前記プレート要素の平面にあり、使用位置において前記プレート要素に対して垂直にあるように前記プレート要素に関節接続されている。前記フラップは使用位置において前記プレート要素の上方に位置する第一の部分と、使用位置において前記プレート要素の下方に位置する第二の部分とを有している。前記フラップが関節接続運動することによって露出される前記プレートにおける開口がカップを受け入れるよう作用し、該カップは前記フラップが枢動することによって露出される開口内に位置されると前記フラップを前記プレート要素に対して概ね垂直に保持するように該プレート要素の下方に位置したフラップの第一の部分に対して当接するようになる。前記プレート要素はまた、該プレート要素が使用位置にあるとき所定の固定位置に別のカップを保持するための第二の開口を有するものとして示されている。
使用位置において、前記バッグの内部は２個の区画室、すなわち１個以上の飲料容器を受け入れる第一の区画室と、他の食品を受け入れる第二の区画室とに分離される。前記２個の区画室は並置されており、垂直のフラップによって分離されており、該フラップは前記区画室の間の仕切りを提供し、第二の区画室における食料品を第一の区画室に収容されている温かい飲料によって発散される熱から保護するために断熱性材料で任意に被覆することができる。
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
側壁（２５，２５ａ，２５ｂ，２５ｃ）と基部（２７）を有する持ち帰り用バッグ（２６）の内部へ挿入するインサート（１）であって、前記インサート（１）が折り畳み可能な組み立て形態であり、組み立てられると飲料を入れた１個以上の容器（１５）を収納する容器スタンド部分（３）を構成するインサート（１）であり、
前記容器スタンド部分（３）が、基部と、頂端と、中間の本体部分を有する容器（１５）をその中間本体部分のある位置において掴持するようにその中に画成され、かつ配置された少なくとも１個の容器係合開口（１４）を有する容器受け入れ部分（６）を有しているインサート（１）において、
（Ａ）前記の容器受け入れ部分（６）が容器スタンド部分（３）の上方部分であり、前記容器スタンド部分（３）が少なくとも２個の対向する支持部材（７，８）によって上方の容器受け入れ部分（６）に接続されている基部分（５）を有し、前記支持部材の各々（７，８）は前記基部分（５）の対向する側部の一つを前記上方の容器受け入れ部分（６）の対向するそれぞれの側部に接続しており、前記支持部材（７，８）は使用時、前記容器（１５）が前記容器スタンド部分（３）に対して概ね動くことができず、かつ前記容器スタンド部分（３）に受け入れられた容器（１５）の少なくとも一部が前記の容器スタンド部分（３）の上方へ延在し、従って持ち帰り用バッグ（２６）に対して概ね直立した状態に保たれるように前記容器（１５）が前記の少なくとも１個の容器係合開口（１４）中へ挿入されうるように前記の上方容器受け入れ部分（６）を前記基部分（５）から離隔して、かつその上方で保持するように配置されており、かつ
（Ｂ）前記インサート（１）が平たく畳まれた態様で平にして仕舞われている状態の折りたたみ可能な持ち帰り用バッグに挿入され、そして持ち帰り用バッグ（２６）に対して概ね固定された位置を保つように前記の持ち帰り用バッグ（２６）の側壁（２５，２５ａ，２５ｂ，２５ｃ）および基部（２７）に対して容器スタンド部分（３）の基部分（５）が当接する拡張位置へ組み立てられるようにされている
ことを特徴とするインサート（１）。
【請求項２】
前記の容器スタンド部分（３）が箱状の長方形の構造体からなることを特徴とする請求項１に記載のインサート。
【請求項３】
前記の少なくとも１個の容器係合開口（１４）が容器（１５）を掴持するようにされた複数のスロット（１６）を含むことを特徴とする請求項１または２に記載のインサート。
【請求項４】
前記インサート（１）が長方形の持ち帰り用バッグ（２６）に適合するような形状とされていることを特徴とする請求項１から３までのいずれか１項に記載のインサート。
【請求項５】
前記インサート（１）が更に、持ち帰り用バッグ（２６）の内部でそれ自体緊張することによって組み立てられた形態を保つようにされていることを特徴とする請求項４に記載のインサート。
【請求項６】
前記インサート（１）が持ち帰り用バッグ（２６）の内側壁に固定可能であることを特徴とする請求項１から５までのいずれか１項に記載のインサート。
【請求項７】
前記インサート（１）が段ボール、プラスチックあるいは成形された繊維から構成される群から選択された材料からなることを特徴とする請求項１から６までのいずれか１項に記載のインサート。
【請求項８】
前記インサートが組み立てられると、更に、
（ａ）食品を載置するための食品支持部分（１８）であって、使用時、前記バッグ（２６）が運ばれるとき前記の食品を支持するために前記の食品支持部分（１８）に載置された食品と容器スタンド部分（３）に保持された容器（１５）の頂部との間に障壁を形成するように配置されており、前記の食品支持部分（１８）が、使用時、前記食品が持ち運び用バッグ内で前記容器（１５）から離して保持されうるように前記の食品をその上に載置しうる上面（１９）を有している食品支持部分（１８）と、
（ｂ）使用時、前記の容器スタンド部分（３）の上方に来るように配置される食品支持スタンド部分（４）を含み、
前記の食品支持スタンド部分（４）が前記の食品支持部分（１８）を含み、かつ脚部分（８）を有しており、使用時、容器スタンド部分（３）に保持された容器（５）を越えて延在する脚部分（８）によって前記容器スタンド部分（３）の上に立つように配置され、前記食品支持部分（１８）は前記食品支持スタンド部分（４）の前記の脚部分（８）によって容器スタンド部分（３）に接続されており、前記インサ―ト（１）の容器スタンド部分（３）は持ち帰り用バッグ（２６）に対して概ね固定された位置を保つために持ち帰り用バッグ（２６）の側壁（２５，２５ａ，２５ｂ，２５ｃ）と基部（２７）に当接する前記の拡張位置へ組み立てられるようにされており、飲料の容器（１５）を容器スタンド部分（３）の容器係合開口（１４）中へ任意に位置させた後、食品支持スタンド部分（４）は前記容器（１５）の上方へ延在するように下ろされるようにされており、次いで食品支持部分（１８）がその上に位置された食品を支持するように配置されていることを特徴とする請求項１から７までのいずれか１項に記載のインサート。
【請求項９】
前記食品支持部分（１８）は、使用時、複数の前記脚部分によって前記容器スタンド部分（３）の上に立つように配置されており、前記脚部分は前記食品支持スタンド部分（４）の支持部材（８，２０）を画成していることを特徴とする請求項８に記載のインサート。
【請求項１０】
食品支持スタンド部分（４）が基部分（１７）と、少なくとも２個の対向する支持部材（８，２０）を有しており、前記支持部材（８，２０）の各々が前記基部分（１７）の対向する側部の一つを前記食品支持部分（１８）のそれぞれの対抗する側部と接続し、前記支持部材（８，２０）が、使用時、前記食品支持部分（１８）を前記基部分（１７）から離隔して、かつその上方において保持するように配置されており、前記基部分（１７）が、食品支持部分（１８）が、使用時、テーブルのような要領で容器スタンド部分（３）の上方に保持され、容器スタンド部分（３）に保持されている容器（１５）の頂部の上に載置されないように容器スタンド部分（３）に保持された容器の頂端が前記基部分（１７）と食品支持部分（１８）との間の空間中へ挿入できるように配置されている少なくとも１個の容器受け入れ開口（２４）を画成しており、前記容器（１５）の頂端が前記食品支持スタンド部分（４）の基部分（１７）と食品支持部分（１８）との間の空間内に受け入れられることを特徴とする請求項９に記載のインサート。
【請求項１１】
前記食品支持スタンド部分（４）が箱状の長方形の構造体からなることを特徴とする請求項９または１０に記載のインサート。
【請求項１２】
前記食品支持スタンド部分（４）が持ち帰り用バッグ（２６）に対して概ね固定された位置を保つように前記持ち帰り用バッグ（２６）の側壁（２５，２５ａ，２５ｂ，２５ｃ）と当接するようにされていることを特徴とする請求項９から１１までのいずれか１項に記載のインサート。
【請求項１３】
前記食品支持部分（１８）の上面（１９）が更に、断熱材料の層、任意にはアルミニュームフォイルあるいはポリスチレンからなることを特徴とする請求項９から１２までのいずれか１項に記載のインサート。
【請求項１４】
それぞれ頂部パネル（６，１８）および底部パネル（５，１７）である４個のパネル（５，６，７，８；１７，１８，８，２０）を有する少なくとも１個の区画分と、組立てられた形態において箱状の長方形構造体を画成するために前記の区画分の端パネル（６，１７）を接続する手段（１１，１１ａ）を含むことを特徴とする請求項１から１３までのいずれか１項に記載のインサート用のブランク。
【請求項１５】
容器スタンド部分の区画分（３）と食品支持スタンド部分の区画分（４）とを含むブランクであって、単一の任意の平坦なパネル（８）が前記容器スタンド部分の区画分（３）の側壁（８）と前記食品支持スタンド部分の区画分（４）の側壁（８）とを画成していることを特徴とする請求項１４に記載のブランク、すなわち請求項９から１２までのいずれか１項に記載のインサート用のブランク。
【請求項１６】
前記の接続手段が前記ブランクの自由端パネル（６，１７）に設けられ、前記の組み立てられた状態において前記ブランクの側壁（８）に取り付けられているタブ（１１，１１ａ）からなることを特徴とする請求項１４または１５記載のインサート用ブランク。
【請求項１７】
複数の側壁と基部を有する持ち帰り用バッグと請求項１から１３までのいずれか１項に記載のインサートとからなることを特徴とする組立体。
【請求項１８】
前記の持ち帰り用バッグが折り畳み可能な紙バッグからなることを特徴とする請求項１７に記載の組立体。
【請求項１９】
側壁（２５，２５ａ，２５ｂ，２５ｃ）と基部（２７）を有する持ち帰り用バッグ（２６）の中へ挿入されるインサート（１）であって、折り畳み可能な組立て形態であり、組み立てられると、飲料を入れた１個以上の容器（１５）を受け入れる容器スタンド部分（３）と食品を載置するための食品支持部分（１８）とを構成するようにされているインサート（１）であって、
（ｉ）前記容器スタンド部分（３）が、基部と、頂端と、中間本体部分とを有する容器を前記の中間本体部分におけるある位置で掴持するために画成され、かつ配置されている少なくとも１個の容器係合開口（１４）を有する容器受け入れ部分（６）を有し、
（ｉｉ）前記バッグ（２６）が運ばれるとき、食品を支持するように食品支持部分（８）に載置された食品と前記容器スタンド部分（３）に保持された容器（１５）の頂部との間に、使用時、障壁を形成するように配置されており、前記食品支持部分（１８）が、使用時、前記食品が前記持ち帰り用バッグ（２６）内の前記容器（１５）から離して保持できるように前記食品をその上に載置しうる上面（１９）を有している、インサート（１）において、
（Ａ）前記容器受け入れ部分（６）が前記容器スタンド部分（３）の上方部分であり、前記容器スタンド部分（３）が少なくとも２個の対向する支持部材（７，８）によって前記上方の容器受け入れ部分（６）に接続されている基部分（５）を有し、各支持部材（７，８）は前記基部分（５）の対向する側部の一つを前記上方の容器受け入れ部分（６）のそれぞれの対向する側部に接続し、前記支持部材（７，８）は、使用時、前記容器（１５）が前記容器スタンド部分（３）に対して概ね動くことができないよう、かつ前記容器スタンド部分（３）に受け入れられた容器（１５）の少なくとも一部が前記容器スタンド部分（３）の上方まで延在し、従って前記持ち帰り用バッグ（２６）に対して概ね直立した状態に保たれるように前記容器が前記の少なくとも１個の容器係合開口（１４）中へ挿入することができるよう前記上方の容器受け入れ部分（６）を前記基部分（５）から離して、かつその上方に保持するように配置されており、
（Ｂ）前記インサート（１）が、使用時、前記容器スタンド部分（３）の上方に来るように配置された食品支持スタンド部分（４）を有しており、
（Ｃ）前記食品支持スタンド部分（４）が前記の食品支持部分（１８）を含み、かつ脚部分（８）を有しており、使用時、前記脚部分（８）が前記容器スタンド部分（３）に保持された容器（１５）を越えて延在することによって前記の容器スタンド部分（３）の上に立つように配置されており、
（Ｄ）前記食品支持部分（１８）が前記食品支持スタンド部分（４）の前記脚部分（８）によって前記容器スタンド部分（３）に接続されており、
（Ｅ）前記インサート（１）の容器スタンド部分（３）が、持ち帰り用バッグ（２６）に対して概ね固定された位置を保つように前記容器スタンド部分（３）の基部分（５）が前記持ち帰り用バッグ（２６）の側壁（２５，２５ａ，２５ｂ，２５ｃ）および基部（２７）と当接する拡張位置に組み立てられるようにされており、飲料の容器（１５）を容器スタンド部分（３）の容器係合開口（１４）中へ任意に位置させた後、前記食品支持スタンド部分（４）が前記容器（１５）の上まで延在するように下ろされるようにされ、前記食品支持部分（１８）が次いでその上に置かれた食品を支持するように配置されることを特徴とするインサート（１）。
【請求項２０】
側壁（２５，２５ａ，２５ｂ，２５ｃ）と基部（２７）とを有する持ち帰り用バッグ（２６）の中へ挿入されるインサート（１）であり、折り畳み可能な組立て形態であり、組み立てられると、１個以上の飲料を入れた容器（１５）を受け入れる容器スタンド部分（３）と、食品を載置するための食品支持部分（１８）を構成するようにされているインサート（１）であって、
（ｉ）前記容器スタンド部分（３）が基部と、頂端と、中間の本体部分とを有する容器を前記中間の本体部分におけるある位置において掴持するように画成され、かつ配置されている少なくとも１個の容器係合開口（１４）を有する容器受け入れ部分（６）を有し、
（ｉｉ）前記食品支持部分（１８）が、前記持ち帰り用バッグ（２６）が運ばれるとき、前記食品を支持し、使用時、前記食品が前記持ち帰り用バッグ（２６）内で前記容器（１５）から離されて保持されうるように前記の食品支持部分（１８）に載置された食品と前記容器スタンド部分（３）に保持された容器（１５）の頂部との間で障壁を形成するように配置されている、インサート（１）において、
（Ａ）前記容器受け入れ部分（６）が前記容器スタンド部分（３）の上方部分であり、前記容器スタンド部分（３）は少なくとも２個の対向する支持部材（７，８）によって前記上方の容器受け入れ部分（６）に接続されている基部分（５）を有しており、各支持部材（７，８）は前記基部分（５）の対向する側部の一つを前記上方の容器受け入れ部分（６）のそれぞれの対向する側部に接続しており、前記支持部材（７，８）は、前記容器（１５）が前記容器スタンド部分（３）に対して概ね動き得ないように、かつ前記容器スタンド部分（３）に受け入れられた容器（１５）の少なくとも一部が前記容器スタンド部分（３）の上方まで延在し、従って前記持ち帰り用バッグ（２６）に対して概ね直立した状態に保持されるよう前記容器（１５）が前記の少なくとも１個の容器係合開口（１４）中へ挿入しうるように前記上方の容器受け入れ部分（６）を前記基部分（５）から離して、かつその上方に保持するように配置されており、かつ
（Ｂ）前記インサート（１）が、使用時、前記容器スタンド部分（３）の上方に来るように配置されている食品支持スタンド部分（４）を有しており、前記食品支持スタンド部分が、
（ａ）基部分（１７）と、
（ｂ）前記基部分（１７）に接続され、その上に前記食品を載置できる上面（１９）を有する食品支持部分（１８）と、
（ｃ）少なくとも２個の対向する支持部材（８，２０）であって、各支持部材（８，２０）が前記基部分（１７）の対向する側部の一つを前記食品支持部分（１８）のそれぞれの対向する側部と接続し、前記支持部材（８，２０）が、使用時、前記食品支持部分（１８）を前記基部分（１７）から離して、かつその上方に保持するように配置されており、前記基部分（１７）が前記容器スタンド部分（３）に保持された容器（１５）の頂端を前記基部分（１７）と食品支持部分（１８）との間の空間中へ挿入できるように配置された少なくとも１個の容器受け入れ開口（２４）を画成している支持部材（８，２０）を有しており、
（Ｃ）前記食品支持スタンド部分（４）が、使用時、前記容器スタンド部分（３）の上に立つように配置されており、前記食品支持部分（１８）が、使用時、テーブルのような要領で前記容器スタンド部分（３）の上方で保持され、前記容器スタンド部分（３）に保持された容器（１５）の頂部の上に載置されないように前記容器スタンド部分（３）に保持された容器（１５）を越えて延在し、かつ
（Ｄ）前記食品支持部分（１８）が前記食品支持スタンド部分（４）の支持部材（８）によって前記容器スタンド部分（３）に接続されており、かつ
（Ｅ）前記インサート（１）の前記容器スタンド部分（３）が、前記容器スタンド部分（３）の基部分（５）が前記持ち帰り用バッグ（２６）に対して概ね固定された位置を保つように該持ち帰り用バッグの側壁（２５，２５ａ，２５ｂ，２５ｃ）および基部（２７）と当接する拡張位置に組み立てられるようにされており、飲料の容器（１５）を前記容器スタンド部分（３）の容器係合開口（１４）中へ任意に位置させた後、前記食品支持スタンド部分（４）は前記容器（１５）の上を延在するように下ろされるようにされており、前記容器（１５）の頂端は前記基部分（１７）と前記食品支持スタンド部分（４）の食品支持部分（１８）との間の空間内に受け入れられ、次いで前記食品支持部分（１８）が食品をその上に載せて支持するように配置されている、
ことを特徴とするインサート（１）。
【国際調査報告】
2008529913.tif 000019
2008529913.tif 000020
2008529913.tif 000021
2008529913.tif 000022
2008529913.tif 000023